(57)【要約】      （修正有）【課題】走行制御の処理負荷及び処理時間を軽減する。【解決手段】自律走行車１は、圃場を走行する走行機体２を備えており、運行経路上の磁気マーカーＭａを辿って走行する。運行経路は、畝間を通る畝間経路Ｐｉと畝外を通る畝外経路Ｐｏとの接続地点を含んでおり、接続地点に磁気マーカーＭａが設置されている。自律走行車１の走行制御手段は、接続地点の磁気マーカーＭａのところで旋回した後において、地磁気センサー４ａを含む３軸磁気検出手段に磁気マーカーＭａからの磁気を検出させるとともに、機体角度検出手段により機体角度θを検出させ、磁気に基づいて磁気マーカーＭに対する走行機体２の乖離距離(x,y)を算出し、乖離距離(x,y)及び機体角度θに基づいて、運行経路に対する走行機体２の位置ずれを減少させるように、走行機体２の走行を制御する。【選択図】図７
2015036822.tif 000002
【特許請求の範囲】
【請求項１】
圃場を走行する走行機体を備えており、運行経路に設置された複数の磁気マーカーを辿って自律的に走行するように構成された自律走行車であって、
前記運行経路は、畝間を通る畝間経路と畝外を通る畝外経路との接続地点を含むものであって、少なくとも該接続地点に前記磁気マーカーが設置されているものであり、
前記磁気マーカーからの３軸方向の磁気を検出する３軸磁気検出手段と、
前記走行機体の機体角度を検出する機体角度検出手段と、
前記３軸磁気検出手段で検出された磁気及び前記機体角度検出手段で検出された角度に基づいて前記走行機体の走行を制御する走行制御手段とを備え、
前記走行制御手段は、前記接続地点の前記磁気マーカーの地点で旋回したときに、前記３軸磁気検出手段に該磁気マーカーからの磁気を検出させるとともに、前記機体角度検出手段により機体角度を検出させ、該磁気に基づいて該磁気マーカーに対する前記走行機体の乖離距離を算出し、該乖離距離及び前記機体角度に基づいて、前記運行経路に対する前記走行機体の位置ずれを減少させるように、該走行機体の走行を制御する自律走行車。
【請求項２】
前記３軸磁気検出手段は、３軸方向の磁気を検出する地磁気センサーと、前記検出した磁気から、前記運行経路における地磁気の影響を校正する地磁気校正手段とを備えた請求項１記載の自律走行車。
【請求項３】
前記走行機体は、走行手段として、その左右それぞれに車輪が設けられている請求項１又は２に記載の自律走行車。
【請求項４】
前記走行機体は、走行手段として、その左右それぞれに無限軌道が設けられている請求項１又は２に記載の自律走行車。
【請求項５】
前記３軸磁気検出手段は、前記走行機体の底面部の略中央に設けられている請求項１〜４のいずれか一項に記載の自律走行車。
【発明の詳細な説明】
【技術分野】
【０００１】
本発明は、運行経路に設置された複数の磁気マーカーを辿って自律的に走行するように構成された自律走行車に関するものである。
【背景技術】
【０００２】
背景技術としては、特許文献１に記載された自律走行作業車の制御装置を例示する。この自律走行作業車は、原動機（電動モータ）と、原動機に接続される駆動輪と、作業機（ブレード）とを備え、走行予定領域を原動機を駆動して自律走行しつつ作業するものである。
【０００３】
この自律走行作業車の制御装置にあっては、走行予定領域を規定すると共に、磁石の埋設位置を座標で示す地図情報と、作業車に搭載されると共に、走行予定領域に埋設された磁石に感応自在なｘ，ｙ，ｚ３軸の出力を有する地磁気センサの出力に基づいて絶対方位と磁石に対する作業車の位置を検出し、検出された位置と磁石の埋設位置を座標で示す地図情報に基づいて走行予定領域における作業車の位置を検出し、角速度センサの出力に基づいて進行方位を算出すると共に、車輪速センサの出力に基づいて走行距離を算出し、よって得られる絶対方位と走行予定領域における作業車の位置と進行方位と走行距離とに基づき、予め定められた作業プログラムに従って走行予定領域における作業機を介しての作業を制御するように構成している。
【先行技術文献】
【特許文献】
【０００４】
【特許文献１】特開２０１２−９４１２３号公報
【発明の概要】
【発明が解決しようとする課題】
【０００５】
ところが、特許文献１に記載された制御装置は、すべての磁石に対して、作業車を正確に走行させるように構成されている。このため、作業車の進路が左右の畝肩によってガイドされ、進路が大幅にずれる心配がない畝間を走行する場合でも、作業車の進路の補正が行われ、そのために処理負荷と処理時間がかかるという課題がある。
【課題を解決するための手段】
【０００６】
前記課題を解決するために、本発明の自律走行車は、
圃場を走行する走行機体を備えており、運行経路に設置された複数の磁気マーカーを辿って自律的に走行するように構成された自律走行車であって、
前記運行経路は、畝間を通る畝間経路と畝外を通る畝外経路との接続地点を含むものであって、少なくとも該接続地点に前記磁気マーカーが設置されているものであり、
前記磁気マーカーからの３軸方向の磁気を検出する３軸磁気検出手段と、
前記走行機体の機体角度を検出する機体角度検出手段と、
前記３軸磁気検出手段で検出された磁気及び前記機体角度検出手段で検出された角度に基づいて前記走行機体の走行を制御する走行制御手段とを備え、
前記走行制御手段は、前記接続地点の前記磁気マーカーの地点で旋回したときに、前記３軸磁気検出手段に該磁気マーカーからの磁気を検出させるとともに、前記機体角度検出手段により機体角度を検出させ、該磁気に基づいて該磁気マーカーに対する前記走行機体の乖離距離を算出し、該乖離距離及び前記機体角度に基づいて、前記運行経路に対する前記走行機体の位置ずれを減少させるように、該走行機体の走行を制御する。
【０００７】
この構成によれば、前記走行制御手段は、前記接続地点の前記磁気マーカーのところで旋回したときに、前記運行経路に対する前記走行機体の位置ずれを減少させるように補正する構成となっているので、すべての前記磁気マーカーのところで補正する場合と比較して、処理負荷と処理時間を軽減できる。
仮に、前記走行制御手段による補正を一切行わないと、前記畝外経路の走行動作の確実性に課題がある。それは、進路が左右の畝肩によってガイドされ、進路が大幅にずれる心配がない畝間経路に比べ、前記接続地点での旋回動作では、路面の凹凸や傾斜、路面からの接地抵抗の影響を大きく受けるため、旋回角度にずれが発生したり、前記走行機体の前後左右の中心位置と前記磁気マーカーとの間にずれが発生したりしてしまうためである。このようなずれが発生してしまうと、後続の前記畝間経路の入口に到達できず、自律走行が成立しなくなる可能性がある。
本発明は、このようなずれが発生する可能性が高く、自律走行の妨げになる可能性が高い前記接続地点での旋回時に、ずれを補正するように構成しているので、効率的に走行制御することができる。
【０００８】
前記自律走行車においては、
前記３軸磁気検出手段は、３軸方向の磁気を検出する地磁気センサーと、前記検出した磁気から、前記運行経路における地磁気の影響を校正する地磁気校正手段とを備えた態様を例示する。
【０００９】
この構成によれば、前記３軸磁気検出手段として地磁気センサーを利用することができ、コストを抑制することができる。
【００１０】
前記走行機体の走行手段としては、特に限定されないが、次の態様を例示する。
（１）前記走行機体の左右それぞれに車輪が設けられている態様。
（２）前記走行機体のの左右それぞれに無限軌道が設けられている態様。
【００１１】
前記３軸磁気検出手段は、前記走行機体の底面部の略中央に設けられている態様を例示する。
【００１２】
この構成によれば、前記走行機体の底面部の略中央で磁気を検出するので、取り付けに対する位置補正をすることなく、該走行機体の走行制御に利用することができる。
【発明の効果】
【００１３】
本発明に係る自律走行車によれば、走行制御のための処理負荷及び処理時間を軽減することができるという優れた効果を奏する。
【図面の簡単な説明】
【００１４】
【図１】本発明を具体化した一実施形態に係る自律走行車の概略構成を示す平面図である。
【図２】磁気マーカーの磁束密度の分布を示すグラフである。
【図３】同自律走行車に装備された地磁気センサーのＸ軸方向、Ｙ軸方向及びＺ軸方向の設定を示す斜視図である。
【図４】同地磁気センサーによる検知出力（Ｘ軸方向成分）を示すグラフである。
【図５】同地磁気センサーによる検知出力（Ｙ軸方向成分）を示すグラフである。
【図６】同地磁気センサーによる検知出力（Ｚ軸方向成分）を示すグラフである。
【図７】同自律走行車の旋回時における動作例を示す平面図である。
【図８】同自律走行車による圃場における走行事例を示す平面図である。
【発明を実施するための形態】
【００１５】
図１〜図８は本発明を具体化した一実施形態を示しており、各図において、矢印Ｆは機体前側を指し示している。本例の自律走行車１は、運行経路に設置された複数の磁気マーカーＭを辿って自律的に走行するとともに、該運行経路における所定範囲に薬液を噴霧するように構成されている。
【００１６】
本例の運行経路は、図８に示すように、平行に設けられた複数の畝Ｕを対象としており、畝間（畝と畝の間）を通る畝間経路Ｐｉと、畝外としての枕地を通る畝外経路Ｐｏとの接続地点が繰り返し出現する櫛刃状の経路になっているものとする。
【００１７】
本例の磁気マーカーＭは所定の磁力を発する丸型で平板状の永久磁石を内蔵している。本例では、図８に示すように、畝間を通る畝間経路Ｐｉの始端地点であって、畝外としての枕地を通る畝外経路Ｐｏとの接続地点に設置される磁気マーカーＭを枕地マーカーＭａといい、畝間経路の終端地点に設置される磁気マーカーＭを畝端マーカーＭｂという。
【００１８】
ここで、一般に磁石は、その残留磁束密度に応じて、有効な磁力が及ぶ範囲、いわゆる磁場の大きさが決定される。そして、複数の磁石が近接した場合には、それぞれの磁石の磁場が干渉してしまう場合がある。このように複数の磁石の磁場が干渉した状態では、それぞれの磁石の磁力が重畳された状況となるため、単独の磁石のみでの磁場とは異なってしまい、変則的な磁力となる問題が生じてしまう。そこで、複数の磁石が近接する場合には、それぞれの磁石による磁場が干渉しないようにすることが必要である。
本実施例では、枕地マーカーＭａの磁石同士が最も近接した状態となり、この磁石同士の磁場が最も干渉しやすい状況である。一般的なビニールハウスでは、隣り合う畝Ｕは１０００ｍｍ以上離れていることを前提とすると、この枕地マーカーＭａ同士の最短距離は１０００ｍｍと想定することができ、個々の磁石による磁場が５００ｍｍ以内であれば、互いに干渉しないようにすることができる。
そこで、本例では、磁気マーカーＭの永久磁石として、半径２０ｍｍ、厚さ６ｍｍの丸型のフェライト磁石を採用することを例示する。水平面上にＳ極側を上向きとしてこの磁石を設置した際の磁束密度の分布、すなわち磁場は、図２のようになる。同図において、高さ軸は、磁束密度（単位Ｇ：ガウス）、横軸は水平面内での磁石からの左右距離（単位ｍｍ）、縦軸は水平面内での磁石からの前後距離（単位ｍｍ）である。同図によれば、磁石から１５０ｍｍ以上離れた距離では、ほぼ０ガウスとなっているため、上記の「個々の磁石による磁場が５００ｍｍ以内」の条件を十分に満足するものとなる。
【００１９】
本例の自律走行車１は、図１に示すように、走行機体２と、畝検出器３と、３軸磁気検出手段４と、機体角度検出手段５と、走行制御手段６と、薬液噴霧手段７とを備えている。
【００２０】
走行機体２は、圃場を走行するための走行手段２ａと、該走行手段２ａを駆動する駆動手段２ｂと、該走行における進路を変更するための旋回手段とを含んでいる。本例では、走行手段としては、走行機体２の左右それぞれに２輪ずつの車輪を備えている。駆動手段２ｂとしては、モータ、エンジン等の原動機を例示する。本例では、駆動手段として、走行機体２の左右それぞれの車輪を駆動するための一対の原動機を備えている。本例では、旋回手段として、左右の駆動手段により、左右の車輪の回転差を生じさせ、それによって進路を変更する手段を採用している。
【００２１】
３軸磁気検出手段４は、磁気マーカーＭからの３軸方向の磁気を検出するものであり、走行機体２の底面部の略中央に設けられている。本例の３軸地磁気検出手段は、３軸方向の磁気を検出する地磁気センサー４ａと、前記検出した磁気から、前記運行経路における地磁気の影響を校正する地磁気校正手段４ｂとを備えている。図３は、走行機体２に対する地磁気センサー４ａのＸ軸方向、Ｙ軸方向及びＺ軸方向の設定を示している。また、本例の磁気マーカーＭについての地磁気センサー４ａのＸ軸方向成分、Ｙ軸方向成分及びＺ軸方向成分の検知出力をそれぞれ図４、図５及び図６に示す。
【００２２】
地磁気校正手段４ｂについて説明すると、まず、地磁気センサー４ａは、本来地球上での地磁気を検出して、東西南北で表現される方位を検出するものである。地磁気は大きさと方向を持つベクトル量であるため、これを検出する地磁気センサー４ａは、Ｘ軸、Ｙ軸及びＺ軸（本例では、それぞれ走行機体２の左右方向、前後方向及び鉛直方向に設定。）の３軸方向で、それぞれの軸方向の分割ベクトル成分を検出するものである。したがって、地磁気センサー４ａは、その周辺に磁石が無い場合でも、地磁気を検出して、有意な値を出力する。また、地磁気が同等でも、走行機体２の方向が異なれば、地磁気センサー４ａの検出値は異なる。このような地磁気センサー４ａを使用して磁石を検出する場合には、前記のような地磁気に対して検出される内容を無効化する、つまり地磁気の影響を校正する必要がある。
本例の地磁気校正手段４ｂは、次のように地磁気の影響の校正を行う。
まず、初期設定として、地磁気センサー４ａを設けた走行機体２において、運行経路の周辺に検出対象とするマーカーＭ（磁石）が無い状態で、地磁気センサー４ａの検出値を得る。また、走行機体２に設けている機体角度検出手段５を使用して、その際の走行機体２の方向を検出して、基準角度を得る。上記で得られた地磁気センサー４ａの検出値は、走行機体２の方向が基準角度の場合において、地磁気そのものに対して行われたものとして、扱うことができる。さらに、基準角度とは相違する走行機体２の方向の場合に関しても、基準角度に対する走行機体２の方向の変位角度を使用した三角関数の演算を行うことで、その方向において地磁気そのものに対して行われる地磁気センサー４ａの検出値を導出することもできる。
例えば、走行機体２の方向が基準角度の場合における、地磁気そのものに対する地磁気センサー４ａの検出値（x,y,z）が（x0,y0,z0）のとき、走行機体２の方向が基準角度に対して右回転方向にθの場合における、地磁気そのものに対する地磁気センサー４ａの検出値（xa,ya,za）は、それぞれxa = x0・cosθ - y0・sinθ、ya = x0・sinθ + y0・cosθ、za = z0となる。
次に、地磁気校正手段４ｂは、初期設定で得られた、地磁気そのものに対する地磁気センサー４ａの検出値を、地磁気による重畳成分として、マーカーＭを設置した運行経路における地磁気センサー４ａの検出値から減算することで、地磁気からの影響を校正する。これにより、検出対象とするマーカーＭからの磁気を正しく検出することを可能にしている。
【００２３】
機体角度検出手段５は、走行機体２の機体角度を検出するものであり、本例では、ジャイロセンサーを採用している。
【００２４】
走行制御手段６は、検出された前記磁気に基づいて走行機体２の走行を制御するものであり、走行機体２が枕地マーカーＭａのところで旋回した後は、次のように作動する構成となっている。
【００２５】
すなわち、図７（この図は旋回後に目指す磁気マーカーＭが枕地マーカーＭａである場合の事例である。）に示すように、本例の走行制御手段６は、まず、３軸磁気検出手段４に該枕地マーカーＭａからの磁気を検出させるとともに、機体角度検出手段５により機体角度θを検出させる。次いで、枕地マーカーＭａの磁力分布情報は図２に示すように既知の情報であるため、３軸磁気検出手段４により検出した磁力を該既知の情報に基づいて、走行機体２から見た枕地マーカーＭａの乖離距離（x,y）を取得する。具体的には、乖離距離の取得は、検出対象とする枕地マーカーＭａに対して、３軸磁気検出手段４で検出される３軸方向の磁気との相関関係を近似した算出式を予め設定しておき、その算出式を計算することで導出することを例示する。次いで、乖離距離（x,y）及び機体角度θに基づいて方向調整角度φを算出し、前記運行経路に対する走行機体２の位置ずれを減少させるように、走行機体２の走行を制御する。ここで、方向調整角度φは、方向調整目標に対する機体の角度であって、次式により算出する。
【００２６】
φ = θ + arctan(ld／(lw - ls))
【００２７】
この式において、ldは軸線乖離量であって、-(x・cosθ + y・sinθ)で算出され、lsは軸線進行量であって、-(-x・sinθ + y・cosθ)で算出され、lwは枕地マーカーＭａから方向調整目標までの距離である。lwとしては、走行機体２が旋回できる距離であれば特に限定されず、特定の距離に固定することや、次に目指す地点等に応じて設定することを例示する。後者の場合としては、次に目指す磁気マーカーＭが枕地マーカーＭａであるとき（図７の事例のとき）は最小畝間設定（例えば、１０００ｍｍ）を用い、次に目指す磁気マーカーＭが畝間マーカーＭｂであるときは、枕地マーカーＭａから畝間の始点Ｓまでの距離（例えば、図８に示すように、畝外経路Ｐｏが枕地の幅方向の中央を通るように設定されている場合、その半分の距離。具体的には枕地の幅Ｗｍが１５００ｍｍの場合、その半分の７５０ｍｍ。）を用いることを例示する。
【００２８】
次に、本例の自律走行車１による走行事例について説明する。本事例は、図８に示すように、平行に設けられた複数の畝Ｕの畝間を対象としており、同図における下側が畝間の始端地点、上側が畝間の終端地点となっている。畝間の始端地点及び終端地点には、それぞれ枕地マーカーＭａ及び畝端マーカーＭｂが設置されている。
【００２９】
まず、自律走行車１は、枕地の開始位置から、畝間を走行路として前進する（このとき、薬液噴霧手段７により左右両側の畝Ｕに対して薬液を噴霧する）（図８の矢印Ａ１参照）。ここで、畝間を前進走行する際は、走行機体２の前方における左右両側の下部にそれぞれ設けられた接触式の畝検出器３により、走行機体２の左右側方の畝への接触を検知し、接触した左右どちらの畝から離れる方向へ操舵制御を行い、畝Ｕに倣いながら進行する。また、畝間を前進走行中は、駆動手段２ｂに設けられたロータリーエンコーダー８により、車輪の回転数を算出して、前進した走行距離を逐次算出する。
次いで、畝間を前進中に、畝間の終端に設けられた畝端マーカーＭｂを、３軸磁気検出手段４により検出すると、一旦停止（このとき薬液噴霧手段７による噴霧も停止）してから、進行方向を逆転させて、前進走行してきた畝間の走行路を後進走行する（図８の矢印Ａ２参照）。畝間を後進走行する際は、走行機体２の後方における左右両側の下部にそれぞれ設けられた接触式の畝検出器３を用いて、前進走行時と同様に操舵制御を行い、畝Ｕに倣いながら進行する。また、畝間を後進走行中は、駆動手段２ｂに設けられたロータリーエンコーダー８により、車輪の回転数を算出して、後進した走行距離を逐次算出する。この後進走行は、後進した走行距離と、直前の前進走行した走行距離との比較により、畝間内での走行機体２の位置を判断し、前進してきた畝間の走行路を戻り、畝間の延長線上にある枕地まで進行する。
次いで、畝間を後進中に、枕地に設置された枕地マーカーＭａを、３軸磁気検出手段４により検出すると、一旦停止してから、隣接する畝間がある方向（本例において、この方向は既知の情報であるものとする。）へ、走行機体２を旋回する（図８の矢印Ａ３参照）。本例では、右廻りに９０°旋回する。
次いで、この旋回後、走行制御手段６により、隣接する次の畝間の延長線上にある枕地に設置された枕地マーカーＭａに対する方向調整角度θを算出し、これに基づいて、該枕地マーカーＭａの方向へ前進する（図８の矢印Ａ４参照）。
次いで、この枕地での前進中に、枕地に設置された枕地マーカーＭａを、３軸磁気検出手段４により検出すると、一旦停止してから、次の畝間がある方向（本例において、この方向は既知の情報であるものとする。）へ、走行機体２を旋回する（図８の矢印Ａ５参照）。本例では、左廻りに９０°旋回する。
次いで、この旋回後、走行制御手段６により、次の畝間の畝端マーカーＭｂに対する方向調整角度θを算出し、これに基づいての該畝端マーカーＭｂの方向への前進に備える。このようにして、磁石を使用した走行制御による畝替化を実現する。
上記の旋回後、正対した次の畝間を走行路として、以上と同様な動作を繰り返し、自律走行を実現する。
【００３０】
以上のように構成された本例の自律走行車１によれば、走行制御手段６は、前記接続地点の枕地マーカーＭａのところで旋回したときに、前記運行経路に対する走行機体２の位置ずれを減少させるように補正する構成となっているので、すべての磁気マーカーＭのところで補正する場合と比較して、処理負荷と処理時間を軽減できる。
仮に、走行制御手段６による補正を一切行わないと、前記畝外経路の走行動作の確実性に課題がある。それは、進路が左右の畝肩によってガイドされ、進路が大幅にずれる心配がない畝間経路に比べ、前記接続地点での旋回動作では、路面の凹凸や傾斜、路面からの接地抵抗の影響を大きく受けるため、旋回角度にずれが発生したり、走行機体２の前後左右の中心位置と磁気マーカーＭとの間にずれが発生したりしてしまうためである。このようなずれが発生してしまうと、後続の前記畝間経路の入口に到達できず、自律走行が成立しなくなる可能性がある。
本発明は、このようなずれが発生する可能性が高く、自律走行の妨げになる可能性が高い前記接続地点での旋回時に、ずれを補正するように構成しているので、効率的に走行制御することができる。
【００３１】
また、３軸磁気検出手段４として地磁気センサー４ａを利用しているので、コストを抑制することができる。
【００３２】
また、３軸磁気検出手段４は、走行機体２の底面部の略中央に設けられている。この構成によれば、走行機体２の底面部の略中央で磁気を検出するので、取り付けに対する位置補正をすることなく、該走行機体２の走行制御に利用することができる。
【００３３】
なお、本発明は前記実施形態に限定されるものではなく、例えば以下のように、発明の趣旨から逸脱しない範囲で適宜変更して具体化することもできる。
（１）走行機体２の走行手段２ａとして、走行機体２の左右それぞれに、車輪に代えて、無限軌道を設けること。
（２）走行機体２の旋回手段として、走行手段２ａの回転差による手段に代えて、走行手段２ａの向きを変えることによる手段を採用すること。
（３）運行経路を、前記実施形態とは異なるパターンの経路に変更すること。例えば、平行に隣接する複数の畝間を、畝毎に交互に進行方向を変えながら走行するパターンの経路に変更すること。
（４）運行経路を、所定のパターンの経路に代えて、列設された複数の磁気マーカーＭによって形成される任意のパターンの経路とすること。この場合、自律走行車１には、その走行制御用に、その運行経路のパターンの情報と、該運行経路上における磁気マーカーＭの設置場所の情報を含む運行経路情報を備えさせるようにする。
（５）走行制御手段６による運行経路に対するずれの補正を、畝間経路Ｐｉから畝外経路Ｐｏに移行する地点、又は、畝外経路Ｐｏから畝間経路Ｐｉに移行する地点のいずれか一方のみで行うようにすること。
（６）畝外経路Ｐｏ内に複数の磁気マーカーＭが設置されている場合、それらすべての磁気マーカーＭについて、走行制御手段６による運行経路に対するずれの補正を行うようにすること。
【符号の説明】
【００３４】
１    自律走行車
２    走行機体
２ａ  走行手段
２ｂ  駆動手段
３    畝検出器
４    ３軸磁気検出手段
４ａ  地磁気センサー
４ｂ  地磁気校正手段
５    機体角度検出手段
６    走行制御手段
７    薬液噴霧手段
８    ロータリーエンコーダー
Ｆ    機体前側
Ｍ    磁気マーカー
Ｍａ  枕地マーカー
Ｍｂ  畝端マーカー
Ｐｉ  畝間経路
Ｐｏ  畝外経路
Ｓ    畝間の始点
Ｕ    畝
【図１】
2015036822.tif 000003
【図３】
2015036822.tif 000004
【図７】
2015036822.tif 000005
【図８】
2015036822.tif 000006
【図２】
2015036822.tif 000007
【図４】
2015036822.tif 000008
【図５】
2015036822.tif 000009
【図６】
2015036822.tif 000010